【手続補正書】
【提出日】平成20年7月31日(2008.7.31)
【手続補正１】
【補正対象書類名】明細書
【補正対象項目名】発明の名称
【補正方法】変更
【補正の内容】
【発明の名称】化学発電／有機ハイドライド製造方法
【手続補正２】
【補正対象書類名】明細書
【補正対象項目名】特許請求の範囲
【補正方法】変更
【補正の内容】
【特許請求の範囲】
【請求項１】  化学発電／有機ハイドライド製造方法であって、水素イオンを選択的に透過する水素イオン透過性電解質膜の両側に金属触媒をそれぞれ配置し、電解質膜の両側に電源を接続することによって外部回路を形成し、前記電解質膜の陽極側に配置された第１の反応容器に酸素ガス又は空気又は窒素酸化物を含んだ酸素ガスを供給し、前記電解質膜の陰極側に配置された第２の反応容器に有機ハイドライドを供給し、該有機ハイドライドの脱水素反応で生成された水素イオンを、前記陽極側で前記酸素ガス又は空気又は窒素酸化物を含んだ酸素ガスと反応させて電気を発生させる発電方法、および前記第１の反応容器に水又は水蒸気を供給し、前記第２の反応容器に被水素化物を供給し、水又は水蒸気の電気分解で生成された水素イオンを、前記陰極側で前記被水素化物と水素化反応させることを特徴とする有機ハイドライドを製造する方法。
【請求項２】  前記電解質膜が、固体高分子電解質膜であることを特徴とする請求項１に記載の方法。
【請求項３】  前記金属触媒が、白金、ロジウム、パラジウム、イリジウム、ルテニウム、モリブデン、レニウム、及びタングスシンからなる群から選ばれた少なくとも１つであることを特徴とする請求項１又は２に記載の方法。
【請求項４】  前記金属触媒を担持する担体が、活性炭、アルミナ、シリカ、ゼオライト、メソ多孔質材、又はカーボンナノチューブのいずれかであることを特徴とする請求項１〜３のいずれか１項に記載の方法。
【請求項５】  前記有機ハイドライド又は被水素化物の前記第２の反応容器への供給が、ガス状態又は噴霧状態で行われることを特徴とする請求項１〜４のいずれか１項に記載の方法。
【請求項６】  前記有機ハイドライド又は被水素化物の前記第２の反応容器への供給が、有機ハイドライド又は被水素化物を多孔質材、海綿体、スポンジ、ゲル状物質又はゾル状物質に吸着又は吸蔵又は浸潤させることによって行われることを特徴とする請求項１〜５のいずれか１項に記載の方法。
【請求項７】 前記多孔質材が、活性炭、アルミナ、シリカ、ゼオライト、メソ多孔質材、又はカーボンナノチューブのいずれかであることを特徴とする請求項６に記載の方法。
【請求項８】  前記被水素化物が、単環式芳香族化合物、又は２環式芳香族化合物のいずれかであることを特徴とする請求項１〜７のいずれか１項に記載の方法。
【請求項９】  前記単環式芳香族化合物が、ベンゼン、トルエン、キシレン、又はメシチレンのいずれかであることを特徴とする請求項８に記載の方法。
【請求項１０】  前記２環式芳香族化合物が、ナフタレン、又はメチルナフタレンであることを特徴とする請求項９に記載の方法。
【手続補正３】
【補正対象書類名】明細書
【補正対象項目名】００１０
【補正方法】変更
【補正の内容】
【００１０】
本発明の化学発電／有機ハイドライド製造方法は、水素イオンを選択的に透過する水素イオン透過性電解質膜と、該電解質膜の両側にそれぞれ配置された金属触媒と、前記電解質膜の両側に電源を接続することによって形成された外部回路と、前記電解質膜の陽極側に配置された第１の反応容器と、前記電解質膜の陰極側に配置された第２の反応容器とを備え、前記第１の反応容器に酸素ガス又は空気又は窒素酸化物を含んだ酸素ガスを供給し、前記第２の反応容器に有機ハイドライドを供給し、該有機ハイドライドの脱水素反応で生成された水素イオンを、前記陽極側で前記酸素ガス又は空気又は窒素酸化物を含んだ酸素ガスと反応させて電気を発生させるように構成されるとともに、前記第１の反応容器に水又は水蒸気を供給し、前記第２の反応容器に被水素化物を供給し、水又は水蒸気の電気分解で生成された水素イオンを、前記陰極側で前記被水素化物と水素化反応させて有機ハイドライドを製造するものである。
【手続補正４】
【補正対象書類名】明細書
【補正対象項目名】００１１
【補正方法】変更
【補正の内容】
【００１１】
本発明の化学発電／有機ハイドライド製造方法は、前記のいずれかの方法において、前記電解質膜が、固体高分子電解質膜であることを特徴とするものである。
【手続補正５】
【補正対象書類名】明細書
【補正対象項目名】００１２
【補正方法】変更
【補正の内容】
【００１２】
本発明の化学発電／有機ハイドライド製造方法は、前記のいずれかの方法において、前記金属触媒が、白金、ロジウム、パラジウム、イリジウム、ルテニウム、モリブデン、レニウム、及びタングステンからなる群から選ばれた少なくとも１つであることを特徴とするものである。
【手続補正６】
【補正対象書類名】明細書
【補正対象項目名】００１３
【補正方法】変更
【補正の内容】
【００１３】
本発明の化学発電／有機ハイドライド製造装置は、前記のいずれかの方法において、前記金属触媒を担持する担体が、活性炭、アルミナ、シリカ、ゼオライト、メソ多孔質材、又はカーボンナノチューブのいずれかであることを特徴とするものである。
【手続補正７】
【補正対象書類名】明細書
【補正対象項目名】００１４
【補正方法】変更
【補正の内容】
【００１４】
本発明の化学発電／有機ハイドライド製造方法は、前記のいずれかの方法において、前記有機ハイドライド又は被水素化物の前記第２の反応容器への供給が、ガス状態又は噴霧状態で行われることを特徴とするものである。
【手続補正８】
【補正対象書類名】明細書
【補正対象項目名】００１５
【補正方法】変更
【補正の内容】
【００１５】
本発明の化学発電／有機ハイドライド製造方法は、前記のいずれかの方法において、前記有機ハイドライドの前記第２の反応容器への供給が、有機ハイドライド又は被水素化物を多孔質材、海綿体、スポンジ、ゲル状物質、又はゾル状物質に吸着又は吸蔵又は浸潤させることによって行われることを特徴とするものである。
【手続補正９】
【補正対象書類名】明細書
【補正対象項目名】００１６
【補正方法】変更
【補正の内容】
【００１６】
本発明の化学発電／有機ハイドライド製造方法は、前記の方法において、前記多孔質材が、活性炭、アルミナ、シリカ、ゼオライト、ソメ多孔質材、又はカーボンナノチューブのいずれかであることを特徴とするものである。
【手続補正１０】
【補正対象書類名】明細書
【補正対象項目名】００１７
【補正方法】変更
【補正の内容】
【００１７】
本発明の化学発電／有機ハイドライド製造装置は、前記のいずれかの装置において、前記被水素化物が、単環式芳香族化合物、又は２環式芳香族化合物のいずれかであることを特徴とするものである。
【手続補正１１】
【補正対象書類名】明細書
【補正対象項目名】００１８
【補正方法】変更
【補正の内容】
【００１８】
本発明の化学発電／有機ハイドライド製造方法は、前記の方法において、前記単環式芳香族化合物が、ベンゼン、トルエン、キシレン、又はメシチレンのいずれかであることを特徴とするものである。
【手続補正１２】
【補正対象書類名】明細書
【補正対象項目名】００１９
【補正方法】変更
【補正の内容】
【００１９】
本発明の化学発電／有機ハイドライド製造方法は、前記の方法において、前記２環式芳香族化合物が、ナフタレン、又はメチルナフタレンであることを特徴とするものである。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】００５７
【補正方法】削除
【補正の内容】
【手続補正５１】
【補正対象書類名】明細書
【補正対象項目名】００５８
【補正方法】削除
【補正の内容】
【手続補正５２】
【補正対象書類名】明細書
【補正対象項目名】００５９
【補正方法】削除
【補正の内容】
【手続補正５３】
【補正対象書類名】明細書
【補正対象項目名】００６０
【補正方法】削除
【補正の内容】
【手続補正５４】
【補正対象書類名】明細書
【補正対象項目名】００６１
【補正方法】削除
【補正の内容】
【手続補正５５】
【補正対象書類名】明細書
【補正対象項目名】００６２
【補正方法】削除
【補正の内容】
【手続補正５６】
【補正対象書類名】明細書
【補正対象項目名】００６３
【補正方法】削除
【補正の内容】
【手続補正５７】
【補正対象書類名】明細書
【補正対象項目名】００６４
【補正方法】削除
【補正の内容】
【手続補正５８】
【補正対象書類名】明細書
【補正対象項目名】００６５
【補正方法】削除
【補正の内容】
【手続補正５９】
【補正対象書類名】明細書
【補正対象項目名】００６６
【補正方法】削除
【補正の内容】
【手続補正６０】
【補正対象書類名】明細書
【補正対象項目名】００６７
【補正方法】削除
【補正の内容】
【手続補正６１】
【補正対象書類名】明細書
【補正対象項目名】００６８
【補正方法】削除
【補正の内容】
【手続補正６２】
【補正対象書類名】明細書
【補正対象項目名】００６９
【補正方法】削除
【補正の内容】
【手続補正６３】
【補正対象書類名】明細書
【補正対象項目名】００７０
【補正方法】削除
【補正の内容】
【手続補正６４】
【補正対象書類名】明細書
【補正対象項目名】００７１
【補正方法】削除
【補正の内容】
【手続補正６５】
【補正対象書類名】明細書
【補正対象項目名】００７２
【補正方法】削除
【補正の内容】
【手続補正６６】
【補正対象書類名】明細書
【補正対象項目名】００７３
【補正方法】削除
【補正の内容】
【手続補正６７】
【補正対象書類名】明細書
【補正対象項目名】００８５
【補正方法】変更
【補正の内容】
【００８５】
有機ハイドライドは、単環式水素化芳香族化合物、又は２環式水素化芳香族化合物のいずれかであるのが好ましい。
【手続補正６８】
【補正対象書類名】明細書
【補正対象項目名】００８６
【補正方法】変更
【補正の内容】
【００８６】
有機ハイドライドに用いられる単環式水素化芳香族化合物としては、例えば、シクロヘキサン、メチルシクロヘキサン、又はジメチルシクロヘキサンがあげられる。また、有機ハイドライドに用いられる２環式水素化芳香族化合物としては、例えば、テトラリン、デカリン、又はメチルデカリンがあげられる。
【手続補正６９】
【補正対象書類名】明細書
【補正対象項目名】００８７
【補正方法】削除
【補正の内容】
【手続補正７０】
【補正対象書類名】明細書
【補正対象項目名】００８８
【補正方法】削除
【補正の内容】
【手続補正７１】
【補正対象書類名】明細書
【補正対象項目名】００８９
【補正方法】削除
【補正の内容】
【手続補正７２】
【補正対象書類名】明細書
【補正対象項目名】００９０
【補正方法】削除
【補正の内容】
【手続補正７３】
【補正対象書類名】明細書
【補正対象項目名】００９１
【補正方法】削除
【補正の内容】
【手続補正７４】
【補正対象書類名】明細書
【補正対象項目名】００９２
【補正方法】削除
【補正の内容】
【手続補正７５】
【補正対象書類名】明細書
【補正対象項目名】００９３
【補正方法】削除
【補正の内容】
【手続補正７６】
【補正対象書類名】明細書
【補正対象項目名】００９４
【補正方法】削除
【補正の内容】
【手続補正７７】
【補正対象書類名】明細書
【補正対象項目名】００９５
【補正方法】削除
【補正の内容】
【手続補正７８】
【補正対象書類名】明細書
【補正対象項目名】００９６
【補正方法】削除
【補正の内容】
【手続補正７９】
【補正対象書類名】明細書
【補正対象項目名】００９７
【補正方法】削除
【補正の内容】
【手続補正８０】
【補正対象書類名】明細書
【補正対象項目名】００９８
【補正方法】削除
【補正の内容】
【手続補正８１】
【補正対象書類名】明細書
【補正対象項目名】００９９
【補正方法】削除
【補正の内容】
【手続補正８２】
【補正対象書類名】明細書
【補正対象項目名】０１００
【補正方法】削除
【補正の内容】
【手続補正８３】
【補正対象書類名】明細書
【補正対象項目名】０１０１
【補正方法】削除
【補正の内容】
【手続補正８４】
【補正対象書類名】明細書
【補正対象項目名】０１０２
【補正方法】削除
【補正の内容】